(57)【要約】本発明は、使用者の乳房に適合するように２つのカップ部（２）を備えるブラ（１）に関し、それぞれのカップ部（２）は、ブラを着用しないときに、実質的に平面なシート部（２１）の形態で、広げることが可能な織物材料片によって構成され、ブラを着用しているときに、乳房の重量の影響下でシート部（２１）の平面に、実質的に交差する方向への前部に展開するのに好適であり、可逆的に変形可能な構造体を形成するために、こうした方法で、シート部（２１）の内側部分（２３）の周囲全体に配置された制限された長さを有する複数のノッチ（２２）に沿ってシート部（２１）表面の主要部分が切断され、このシート部（２１）により、乳房の形状に適合し、乳房を支持することができる容積が想定される。【選択図】図２
2016529414.tif 000002
【特許請求の範囲】
【請求項１】
互いに連結された２つのカップ部（２）であって、使用者の乳房に適合させることを意図し、それぞれの外側縁部（２５）によって背面部（４）の一部に、及びそれぞれの上縁部（２６）によって前記背面部の対応する部分に結合するストラップ（５）に連結させたカップ部（２）を備え、
それぞれのカップ部（２）は、ブラを着用していないときに、実質的に平面なシート部（２１）の形態で、広げることが可能な織物材料片によって構成され、及び前記ブラを着用しているときに、前記乳房の重量の影響下で、前記シート部（２１）の平面に実質的に交差する方向への前部への展開に好適な、可逆的に変形可能な構造体を形成するように、前記シート部（２１）の内側部分（２３）の周囲全体に配置された制限された長さの複数のノッチ（２２）に沿って前記シート部（２１）表面の大部分が切断され、
このシート部（２１）により、前記乳房の前記形状に適合し、前記乳房を支持することができる容積が想定されることを特徴とする、
前記ブラ。
【請求項２】
前記ノッチ（２２）は、前記シート部の平面に繰り返し配置されることを特徴とする、
請求項１に記載のブラ。
【請求項３】
前記ノッチ（２２）の少なくとも一部は、各カップ部の長手方向軸線（Ｘ）のそれぞれの側面にそれぞれ延在している対称の二組の線によって構成されている曲線の網状組織に従って配置されることを特徴とする、
請求項１または２のいずれか一項に記載のブラ。
【請求項４】
前記シート部（２１）は、各カップ（２）部の少なくとも下方部分に延在する複数の同心輪状線に従って配置される連続ノッチ（２２）を備えることを特徴とする、
請求項１〜３のいずれか一項に記載のブラ。
【請求項５】
前記シート部（２１）は、各カップ部（２）の前記上縁部（２６）の少なくとも近位に実質的に垂直に延在している前記ノッチ（２２）を備えることを特徴とする、
請求項１〜４のいずれか一項に記載のブラ。
【請求項６】
前記ノッチ部（２２）は、直線形状または実質的に曲線形状を有することを特徴とする、
請求項１〜５のいずれか一項に記載のブラ。
【請求項７】
前記ノッチ（２２）は、１０〜２０ミリメートルである最大長を有することを特徴とする、
請求項１〜６のいずれか一項に記載のブラ。
【請求項８】
前記ノッチ（２２）は、互いに少なくとも１ミリメートル、好ましくは１〜５ミリメートル離間配置されることを特徴とする、
請求項１〜７のいずれか一項に記載のブラ。
【請求項９】
前記シート部（２１）は、装飾的パターンに沿って行われる補助的切断部を有し、それぞれのカップ部の上方部分及び／またはその下方部分（２３）に配置されることを特徴とする、
請求項１〜８のいずれか一項に記載のブラ。
【請求項１０】
前記織物材料片は、１５ニュートンでの一方向の伸び率が少なくとも１０％〜８０％であり、かつ対応性（例えば、スプリングバック）の高いポリアミド及びエラスタインをベースにした単層または多層ニット布地から作製されることを特徴とする、
請求項１〜９のいずれか一項に記載のブラ。
【請求項１１】
前記ニット布地は、２５０〜４００ｇ／ｍ２の重量を有することを特徴とする、
請求項１０に記載のブラ。
【請求項１２】
各カップ部（２）は、前記カップ部（２）の周辺部に固定した細かいニットの弾性裏地により裏打ちされていることを特徴とする、
請求項１〜１１のいずれか一項に記載のブラ。
【請求項１３】
前記裏地は、１５ニュートンにて、長さ及び／または幅が少なくとも１３０％と同等、及び、少なくとも１つの方向に２４０％と同等または２４０％を超える伸び率を有する、およそ６０ｇ／ｍ２の軽量メッシュから作製されることを特徴とする、
請求項１２に記載のブラ。
【発明の詳細な説明】
【技術分野】
【０００１】
本発明は、織物製品、より具体的には、ブラの織物製品に関する。
【背景技術】
【０００２】
ブラは、典型的に、使用者の乳房に適合させるために、中間部分によって互いに連結させる２つのカップ部を備える。背面部はそのカップ部の外側縁部に固定され、ブラが使用者の所定位置に保持されるように、他の背面部に固定する手段を備える。さらに、ブラストラップは、そのカップ部の上縁部を背面部に連結し、かつ、このカップの外側縁部から延在している。
【０００３】
ブラは、使用者の乳房を取り巻くことが意図され、窪んで、実質的に半球状の形状を有するような方法で適合し、それぞれが伸縮性シェル部を有するカップ部を備えるタイプが周知である。しかし、使用者の乳房は、実質的に異なる形態を有する可能性があり、これは、実際に、２つの乳房の形態に完全に適合するようなブラがないことを意味する。更に、使用者の胸部の形態または容積は、実質的に時間の経過と共に変動し得る。ブラは、その時点で、一時的にその使用者にとって不快であることがわかる。
【発明の概要】
【０００４】
したがって、本発明は、前述の欠点のないブラを提案することを目的とする。特に、本発明の目的は、胸部の形態に完全に適合することができ、また、過度の圧力がかからずに、確実に胸部を良好に保持することができるブラを提案することにある。
【０００５】
また、本発明は、互いに連結する２つのカップ部を備え、使用者の乳房に適合させることを目的とし、それぞれの外側縁部によって背面部の一部に、及びそれぞれの上縁部によって背面部の対応する部分に結合するストラップに連結させ、それぞれのカップ部は、ブラを着用していないときに、実質的に平面なシート部の形態で、広げることが可能な織物材料片によって構成され、ブラを着用しているときに、乳房の重量の影響下で、シート部の平面に実質的に交差する方向の前部への展開に好適な、可逆的に変形可能な構造体を形成するように、シート部の内側部分の周囲全体に配置された、制限された長さの複数のノッチ（切り込み）に沿ってシート部表面の主要部分が切断されていることを特徴とするブラに関し、このシート部により、乳房の形状に適合し、乳房を支持することができる容積が想定される。
【０００６】
したがって、本発明は、ブラを着用していないときに平坦であり、カップ部を構成する織物材料のシート部に作製された適切な切断部が存在することにより、胸部の前部に対して、乳房の重量の影響下で実質的に１つの方向に変形し得る容積が想定されるカップ部の作製に基づく。一旦作製されると、本発明は、織物領域、特にブラの織物領域に驚くべき、かつ、特に有利な方法で適合させるために、「切り紙」の名称で公知の、紙を切断し、かつ容積を変更する技術を充てる。実際に、カップ部を構成する織物材料のシートに全面的に作製されたノッチを適切に配置することより、ブラを着用していないときには、ノッチ部分は実質的に平面な形状で存在し、ブラを着用したときには、乳房の重量の影響下で胸部の前部に向かって望ましい方向に「切り広げ」られ、また、ブラを使用者のバストに更に調和するように、かつ更に快適に適用されるように、使用者の乳房の形態に合わせて完全に合致させ、胸部に過度のストレスのない保持がもたらされる方法で乳房を取り囲む。
【０００７】
更に、この方法でオープンワーク（透かし細工）が施された乳房の保持構造により、皮膚は自由に呼吸することができ、更に着用者の快適さが増大する。また、この構造によって、本発明に従って、ブラの非着用状態においてカップ部を平坦にすることができ、このブラは、例えば、特に熱成形され、及び実質的に、かつ部分的に半球状の窪み形状を典型的に呈するカップ部と比較して、かさ張らない。最終的に、乳房を保持するその技術的機能に加えて、一旦、ブラの着用状態において展開されると、カップ部のオープンワーク構造体は、ノッチにより選択された形状及び配向に応じて変化し得る著しい美観的効果を産み出す。
【０００８】
ノッチは、有利にも、シート部平面に繰り返し配置される。
【０００９】
一の実施形態によれば、ノッチの少なくとも一部は、それぞれ、各カップ部の長手方向軸線のそれぞれの側面に延在している二組の対称の線によって構成されている曲線の網状組織（ネットワーク）に従って配置され得る。
【００１０】
シート部は、有利にも、各カップ部の少なくとも下方部分に延在する複数の同心輪状線に従って配置される連続ノッチを備えてもよい。
【００１１】
シート部は、有利にも、実質的に、各カップ部の上縁部の近位に少なくとも垂直に延在しているノッチを備える。
【００１２】
ノッチは、直線形状か、または実質的に曲線形状を有することが好ましい。
【００１３】
ノッチは、有利にも、１０〜２０ミリメートルである最大長を有する。
【００１４】
ノッチは、有利にも、互いに少なくとも１ミリメートル、好ましくは１〜５ミリメートル離間配置される。
【００１５】
一の実施形態によれば、シート部は、装飾的パターンに沿って行われる補助的切断部を有することができ、また有利にも、それぞれのカップ部の上方部分及び／またはその下方部分に配置される。
【００１６】
織物材料片は、好ましくは、有利にも、１５ニュートンでの少なくとも１つの方向の伸び率が１０％〜８０％であり、かつ対応性（スプリングバック（反力））の高いポリアミド及びエラスタイン（またはエラステイン、elastane）をベースにした単層または多層ニット布地から作製される。
【００１７】
ニット布地は、好ましくは、２５０〜４００ｇ／ｍ２の重量を有する。
【００１８】
実施形態によれば、各カップ部は、カップ部周辺部に固定した細かいニットの弾性裏地により裏打ちされている。
【００１９】
裏地は、有利にも、１５ニュートンにて、長さ及び／または幅が少なくとも１３０％と同等、及び、少なくとも１つの方向に２４０％と同等または２４０％を超える伸び率を有する、およそ６０ｇ／ｍ２の軽量メッシュから作製される。
【００２０】
本発明の他の特殊性及び利点は、以下の添付図を参照して、非限定的実施例によって与えられる本発明の特定の実施形態の以下の説明により明らかとなるであろう。
【図面の簡単な説明】
【００２１】
【図１】本発明による、非着用状態にあるブラの例を示す概略図である。
【図２】ノッチの実施形態の異なる変化形態を有する、本発明によるブラのカップ部を形成する織物材料シート部の例を示す。
【図３】ノッチの実施形態の異なる変化形態を有する、本発明によるブラのカップ部を形成する織物材料シート部の例を示す。
【図４】ノッチの実施形態の異なる変化形態を有する、本発明によるブラのカップ部を形成する織物材料シート部の例を示す。
【図５】着用状態の本発明によるブラの実施例を示す。
【発明を実施するための形態】
【００２２】
図１は、本発明によるブラ１の実施例を示す。このブラは、使用者の乳房に適合し、中央の中間部分３によってそれらの内側で互いに連結する２つのカップ部２を備える。各カップ部２は、ブラを着用していないときに実質的に平面である織物材料であるシート部２１の形状を有する。更に、各カップ部２は、有利にも、その下方部分において剛性アンダーワイヤー部２４に固定され得る一方で、本発明が「柔らかい（soft）」と称されるアンダーワイヤー部のないブラ、または幅の狭いブラにも適用され得ることは理解されている。図示した実施例では、アンダーワイヤー部２４は、カップ部の下縁部から外側縁部２５に沿って延在し、他方の背面部に固定手段（図示せず）を備える。ストラップ５により、カップ部２の上縁部２６と背面部４の対応する部分とを連結する。
【００２３】
図１に概略的に示すように、単層または多層（例えば、熱接着によって組み込まれた幾つかの材料の複合体）シートであり得る織物材料の各シート部２１は、その表面の主要部分にわたるシート平面に、シート部２１の全体の厚さにわたって、実質的に線状であり、ノッチのないシート部２１の内側部分２３の周囲全体に配置され、好ましくは、円板（円形表面）形状または楕円（卵形表面）形状を有する複数のノッチ２２またはスロット（細長い溝）を備える。ノッチ２２のない内側部分２３は、カップ部を構成するシートの実質的な中央部分を形成することが好ましく、また、有利には、乳房を互いに更に接近させる効果を得るために、カップ部の内側に向かって（ブラの中央部に向かって）、中心から外れていてもよい。更に、ノッチ２２のない内側部分２３が占める表面は、ノッチ２２の選択されたサイズと相関関係にある。更に、ノッチが小さくなるほど、内側部分２３が占める表面はより広くなる。
【００２４】
ノッチ２２は、シート平面内において、それらの形状、サイズ及び適切な配向によって、シート部平面に実質的に交差する方向に、つまり、胸部の前部を指す方向に、シート部２１を広げることができ、ブラを着用したときに、乳房の重量の影響下で胸部に交差する方向にシート部の特定の剛性を保持するように意図されている。換言すれば、この方法でノッチ２２によりオープンワークされたシート部２１は、前部に展開させるのに好適で、ブラを着用したときに乳房の影響下で胸部の前部を指す方向にブラの各カップ部の容積が、確実に実質的な半球状に変化することを可能にし、かつ、ブラを着用していない時に、実質的に平面である構成形状に戻すために折り畳むことができるのに好適な、可逆的に変形可能な保持構造から構成される。
【００２５】
シート部の形状は、提供されるブラの形状及びサイズに依存するが、好ましくは、細長く、実質的には楕円形状であり、より具体的には、カップ部の上縁部とそれぞれのカップ部の下縁部との間に、例えば１００ｍｍ〜１６０ｍｍである主軸が延在し、かつ、それぞれのカップ部の外側縁部の間に例えば５０ｍｍ〜１３０ｍｍである短軸が延在している涙形状である。
【００２６】
ノッチ２２は、約１０ｍｍ〜２０ｍｍである最大長を有することが好ましく、好ましくは約１５ｍｍであり、かつ、シート部２１の平面、好ましくは、シート部２１の内側部分２３の周囲全体に延在する線の網状組織に従い、周期的に配置される。一般的な方法では、ノッチ２２は、シート部平面の全方向において、それらの間で少なくとも１ミリメートル、好ましくは１ｍｍ〜５ｍｍ及び有利には３ｍｍ、離間配置される。
【００２７】
シート部２１の平面におけるノッチ２２の形状及び配置に加えて、シート部の織物材料は、ブラを着用したときに、乳房の重量の影響下で、開口部及び容積の変化に大きく影響を及ぼす。織物材料のシート部２１は、有利にも、ポリアミド及びエラスタインをベースとした（ニット布地の総重量に対して、好ましくは約４０重量％のエラスタイン）単層または多層（例えば、熱接着による複合体において組み込まれた幾つかのニット布地）ニット布地から作製される。この布地は、有利にも、一方向にて１５ニュートンの伸び率が少なくとも１０％〜８０％である。ニット布地の比重量は、有利には、２５０〜４００ｇ／ｍ２である。更に、ニット布地は有利にも非常に対応性（例えば、スプリングバック）が高く、これは好ましくは７００〜９００ｃＮでの伸び率３０％以下の力の観点における特性によって示される。こうした事実から、材料は、乳房の形態に完全に適合し、着用していないときにはシート部２１が実質的に平坦な構造に戻ることが好ましい。
【００２８】
ブラを着用しているときには乳房の保持に好適である実質的に半球状である形状においては、シート部２１の容積の変化に対して、胸部の前部に向かう方向にシート部２１を広げることができるシート部２１の、平坦であるときの平面内の異なるパターンによるノッチ２２の配置の異なる変化形態をここに記述する。
【００２９】
図２に例示する特定の実施形態では、ノッチ２２の大部分は、好ましくは互いに等距離かつ平行であり、シート部２１の実質的に中央である内側部分２３に貫通する長手方向軸線Ｘの各側面上にそれぞれ延在する二組の対称の線によって構成されている曲線の網状組織に従ってシート部２１の平面内に配置される。
【００３０】
それぞれのカップ部２を構成する織物材料のシート部２１の下方中央部では、複数の、直列（直線）に配置された連続ノッチ２２は、有利にも、カップ部２の縁部から延在し、シート部２１の実質的に中央であり内側部分２３に接近する複数の同心輪状線を形成する。
【００３１】
更に、シート部２１は、有利にも、カップの上縁部２６に向かって実質的に中央内側部分２３から延在している幾つかの縦線の形態で、垂直に一直線になり得る、カップ上縁部２６の少なくとも近位で、各カップ部２の最上部に垂直のノッチ２２を備える。ブラを着用したとき、広げた後にカップ部をこの上部に実質的に平らに静止させることができるようにするために、カップ部２のそれぞれの最上部でのノッチはこの垂直の配置が好ましい。
【００３２】
図５に、ブラ１の着用状態でのカップ部のこの特定の実施形態が図示されている。使用者がブラ１を着用すると、乳房の重量の影響下で、ノッチ２２が開くことにより、シート部２１の平面に実質的に交差する方向にシート部２１を前部に向かって展開させることができ、乳房及びこのために開いているノッチ２２間の織物材料の形状に適合し、また、乳房を維持するために、及び、乳房の重量の影響下でカップ部縁部から前方向に突出して中央域２３に向かって延在するために好適な、ノッチ２２間の材料によって構成された、交差線２２０の網状組織を形成する。
【００３３】
図３の変化形態によれば、シート部２１の上部中央部において、ノッチ２２は、軸線Ｘに対してシート部２１の平面において、異なる対称の方向に配置される２組の斜線を構成し、各カップ部２の縁部に向かって実質的に中央内側部分２３から径方向に延在している。シート部２１の上部中央部において、このノッチ２２の配置により、ブラの側面、すなわち、カップ部の外側縁部２５の側面で特に適合させるカップ部２の変形構成が得られる一方で、図２への参照により記述されているように、シート部２１の上部中央部におけるこのノッチ２２の配置は、特にブラの中央部、すなわちカップ部の内側に適合することが判明している。
【００３４】
また、図４に例示する変化形態は、前述の２つの実施形態を組み合わせたものであり、シート部２１の上部中央部におけるノッチ２２のこの配置に関し、各カップ部２の外側縁部２５の側面に図３の配置及びカップ部２の内側に図２の配置が繰り返される。
【００３５】
しかし、図２を参照して説明されているとおり、実施形態はいずれも、各カップ部２の上方部分に垂直のノッチを配置することが望ましい。ノッチの形状は、好ましくは実質的に曲線であり（これらのノッチは曲線に沿って配置されている）、かつ、垂直ノッチにおいて直線的であるか、または斜線に沿って配置されている。更に、装飾的パターンによって行われる補助的切断部は、この方法で配置される場合、ブラを着用したときにこのようなカップ部が大きく開かないような範囲で、有利にも、カップの上部及び／または実質的に中央下部２３に配置され得る。
【００３６】
実施形態にしたがって、それぞれのカップ部２は、好ましくは各カップ部２の外面全体に適用させるために提供される細かいニットである弾性裏地（図示せず）で裏打ちすることができ、また、好ましくはこの裏地は、各カップ部２の外面の周囲に固定させる。変化形態として、カップ部は、その内面側に細かい弾性裏地を裏打ちすることができる。例示的実施形態によれば、このような裏地は、好ましくは、およそ６０ｇ／ｍ２の軽量メッシュであり、１５ニュートンにて、長さ及び／または幅が少なくとも１３０％と同等（１８０％〜３６０％超である）、及び、２つの方向のうち１つの方向に少なくとも２４０％と同等または２４０％を超える伸び率を有する単一材料で作製することができる。更に、対応性（例えば、スプリングバック）が高く、有利にも、広げた後「緩すぎる」ことのないようにすることができる。
【符号の説明】
【００３７】
１      ブラ
２      カップ部
３      中間部分
４      背面部
５      ストラップ
２１    シート部
２２    ノッチ
２３    内側部分、中央内側部分、中央域、中央下部
２４    剛性アンダーワイヤー部、アンダーワイヤー部
２５    外側縁部
２６    上縁部
２２０  交差線
Ｘ      長手方向軸線、軸線
【図１】
2016529414.tif 000003
【図２】
2016529414.tif 000004
【図３】
2016529414.tif 000005
【図４】
2016529414.tif 000006
【図５】
2016529414.tif 000007
【国際調査報告】
2016529414.tif 000008
2016529414.tif 000009
2016529414.tif 000010
2016529414.tif 000011
2016529414.tif 000012
2016529414.tif 000013